(57)【要約】【課題】映像通信機能を備えた移動通信端末機及び映像通信方法において、移動通信端末機が現在受信している放送プログラムを、映像通信を利用して相手側の端末機へ実時間で送信可能にする。【解決手段】映像呼（image call）を接続する送受信部と、放送プログラムを受信する放送受信部と、前記受信した放送プログラムを復号化する放送プログラム用のコーデック（codec）と、該復号化した放送プログラムを映像通信に用いられる形式に符号化する映像呼用のコーデックと、前記符号化した放送プログラムを、前記映像呼を利用して転送制御する制御部と、を含んで構成されたことを特徴とする映像通信機能を備えた移動通信端末機及び映像通信方法を提供する。【選択図】図１
2007028633.tif 000002
【特許請求の範囲】
【請求項１】
映像呼を確立する送受信部と、
放送プログラムを受信する放送受信部と、
前記受信した放送プログラムを復号化する放送プログラム用のコーデック（codec）と、
該復号化した放送プログラムを映像通信に用いられる形式に符号化する映像呼用のコーデックと、
前記符号化した放送プログラムを、前記映像呼を利用して転送制御する制御部と、
を含んで構成されたことを特徴とする映像通信機能を備えた移動通信端末機。
【請求項２】
外部映像が入力される映像入力部をさらに含んで構成されたことを特徴とする請求項１に記載の映像通信機能を備えた移動通信端末機。
【請求項３】
前記受信した放送プログラムの映像と、前記映像入力部から入力された映像とを、一つの映像に合成する映像処理部をさらに含んで構成されたことを特徴とする請求項２に記載の映像通信機能を備えた移動通信端末機。
【請求項４】
前記映像処理部は、
前記受信した放送プログラムの映像の一部領域に、前記映像入力部から入力された映像を表示するように合成することを特徴とする請求項３に記載の映像通信機能を備えた移動通信端末機。
【請求項５】
前記制御部は、
前記合成映像を、前記映像呼の入力映像に設定することを特徴とする請求項３に記載の映像通信機能を備えた移動通信端末機。
【請求項６】
前記制御部は、
前記受信した放送プログラムの映像を、前記映像呼の入力映像に設定することを特徴とする請求項１に記載の映像通信機能を備えた移動通信端末機。
【請求項７】
前記制御部は、
前記受信した放送プログラムの音声を、前記映像呼の入力音声に設定することを特徴とする請求項１に記載の映像通信機能を備えた移動通信端末機。
【請求項８】
放送プログラムを受信して復号化する段階と、
映像呼を確立する段階と、
前記復号化した放送プログラムを、前記映像呼を利用して転送するか否かを判定する段階と、
前記判定結果によって、前記復号化した放送プログラムを、前記映像呼の入力に設定する段階と、
前記映像呼を利用して前記放送プログラムを転送する段階と、
を含んで構成されることを特徴とする映像通信方法。
【請求項９】
外部映像が入力される段階をさらに含んで構成されることを特徴とする請求項８に記載の映像通信方法。
【請求項１０】
前記受信した放送プログラムの映像と前記入力された映像とを、一つの映像に合成する段階をさらに含んで構成されることを特徴とする請求項９に記載の映像通信方法。
【請求項１１】
前記合成段階は、
前記受信した放送プログラムの映像の一部領域に、前記入力された映像を表示するように合成することを特徴とする請求項１０に記載の映像通信方法。
【請求項１２】
前記設定段階は、
前記合成映像を、前記映像呼の入力映像に設定することを特徴とする請求項１０に記載の映像通信方法。
【請求項１３】
前記設定段階は、
前記受信した放送プログラムの映像を、前記映像呼の入力映像に設定することを特徴とする請求項８に記載の映像通信方法。
【請求項１４】
前記設定段階は、
前記受信した放送プログラムの音声を、前記映像呼の入力音声に設定することを特徴とする請求項８に記載の映像通信方法。
【請求項１５】
放送プログラムを含む映像呼を受信する段階と、
前記放送プログラムをデコーディングする段階と、
前記デコーディングした放送プログラムから映像、音声を抽出する段階と、
前記抽出した映像、音声を、前記映像呼の出力映像、出力音声として出力する段階と、
を含んで構成されることを特徴とする映像通信方法。
【請求項１６】
前記出力段階は、
前記抽出された映像と使用者映像とを同時に出力し、前記使用者映像は、前記映像呼を送信した送信端末機の使用者映像であることを特徴とする請求項１５に記載の映像通信方法。
【発明の詳細な説明】
【技術分野】
【０００１】
本発明は、移動通信端末機に係り、より詳細には、映像通信機能を備えた移動通信端末機及び該移動通信端末機の映像通信方法に関する。
【背景技術】
【０００２】
近来、移動通信の関連技術が発達するにつれ、多種多様な機能が移動通信端末機に付加されつつある。なかでも、マルチメディア（multimedia）関連技術を用いる機能が多く付加されている。
【０００３】
例えば、カメラを移動通信端末機に装着することによって映像通信（video communication）機能（ＴＶ電話機能等）を付加し、これにより、移動通信端末機は、音声通信のほか、様々なマルチメディアを基盤とする映像通信が可能になった。
【０００４】
また、最近では、ＤＭＢ（digital multimedia broadcasting）、ＤＶＢ−Ｈ（digital video broadcasting-handheld）、メディアＦＬＯ（media forward link only）等、移動中にも放送プログラムを受信できる移動通信端末機関連標準及び技術が登場している。
【０００５】
図７を参照して、従来技術による映像通信可能な移動通信端末機の構成について説明する。
【０００６】
移動通信端末機７０は、アンテナ７１２を通じて基地局と無線通信を行うＲＦ送受信部７１０と、使用者が入力したキー信号を発生するキー入力部７２０と、映像呼（video call）を設定して映像通信の全般的な動作を制御する中央制御部７３０と、映像呼に対する入力映像及び入力音声を符号化または復号化するＡＶＣ（audio video codec）７４０と、外部からの音声が入力される音声入力部７７０と、外部からの映像が入力される映像入力部７８０と、相手側の端末機から受信した音声を出力する音声出力部７７２と、相手側の端末機から受信した映像を出力する映像出力部７８２と、プログラム及び各種データを保存する保存部７９０と、を備えている。
【０００７】
移動通信端末機７０は、使用者の音声及び映像を、音声入力部７７０及び映像入力部７８０から受信し、該受信した音声及び映像を符号化して相手側の端末機へ転送する。また、移動通信端末機７０は、相手側の端末機から受信した映像及び音声を復号化し、該復号化した映像及び音声を映像出力部７８２及び音声出力部７７２から出力する。
【０００８】
このとき、移動通信端末機７０は、映像入力部７８０から入力された使用者の映像に代えて、保存部７９０に保存された静止画像または動画を転送しても良い。
【０００９】
次に、図８を参照して、従来技術による放送（broadcast）受信可能な移動通信端末機の構成について説明する。
【００１０】
移動通信端末機８０は、第１アンテナ８１２を通じて基地局と無線通信を行うＲＦ送受信部８１０と、第２アンテナ８１７から放送プログラムを受信する放送受信部８１５と、使用者が入力した各種キー信号を発生するキー入力部８２０と、放送受信及び無線通信を全般的に制御する中央制御部８３０と、音声通話のための音声を符号化または復号化し、受信した放送プログラムを復号化するＡＶＣ（audio video codec）８４０と、使用者の音声が入力される音声入力部８７０と、相手側の端末機から受信した音声を出力する音声出力部８７２と、受信した放送プログラムの映像を出力する映像出力部８８２と、放送プログラム及び各種データを保存する保存部８９０と、を備えている。
【００１１】
移動通信端末機８０は、第２アンテナ８１７から放送プログラムを受信し、該受信した放送プログラムをＡＶＣ８４０で復号化し、映像出力部８８２を通じて放送プログラムの内容を表示する。これによって、使用者は、移動通信端末機８０で放送プログラムを視聴することができる。
【発明の開示】
【発明が解決しようとする課題】
【００１２】
しかしながら、映像通信のための技術標準と放送受信のための技術標準とが相異なるため、上述した従来の移動通信端末機を用いて映像通信を行い、あるいは、放送を受信するためには、それぞれの技術標準を支援する各装置を備えた移動通信端末機が必要であった。
【００１３】
また、上述した従来技術では、移動通信端末機を用いて映像通信と同時に放送プログラムを視聴している場合、この映像通信を利用して当該放送プログラムを相手側の端末機に転送することは困難である。
【００１４】
本発明は、このような問題を解決するためのもので、その目的は、移動通信端末機が現在受信している放送プログラムを、映像通信を利用して相手側の端末機に実時間で送信できる移動通信端末機及びその方法を提供することにある。
【００１５】
本発明の他の目的は、放送プログラム受信機能を支援しない移動通信端末機であっても、映像通信中の相手側の移動通信端末機から実時間で放送プログラムを受信することができる移動通信端末機及び方法を提供することにある。
【課題を解決するための手段】
【００１６】
上記の目的を達成する本発明の映像通信機能を備えた移動通信端末機は、映像呼を確立する送受信部と、放送プログラムを受信する放送受信部と、前記受信した放送プログラムを復号化する放送プログラム用のコーデック（codec）と、該復号化した放送プログラムを映像通信に用いられる形式に符号化する映像呼用のコーデックと、前記符号化した放送プログラムを、前記映像呼を利用して転送制御する制御部と、を含んで構成されたことを特徴とする。
【００１７】
この移動通信端末機は、外部映像が入力される映像入力部をさらに含んで構成されるとよい。また、前記受信した放送プログラムの映像と、前記映像入力部から入力された映像とを、一つの映像に合成する映像処理部をさらに含んで構成されるとよい。ここで、前記映像処理部は、前記受信した放送プログラムの映像の一部領域に、前記映像入力部から入力された映像を表示するように合成するとよい。
【００１８】
前記制御部は、前記合成映像を、前記映像呼の入力映像に設定するとよい。また、前記制御部は、前記受信した放送プログラムの映像を、前記映像呼の入力映像に設定することを特徴とし、さらに、前記制御部は、前記受信した放送プログラムの音声を、前記映像呼の入力音声に設定することを特徴とする。
【００１９】
また、本発明では、上記目的を達成するために、放送プログラムを受信して復号化する段階と、映像呼を確立する段階と、前記復号化した放送プログラムを、前記映像呼を利用して転送するか否かを判定する段階と、前記判定結果によって、前記復号化した放送プログラムを、前記映像呼の入力に設定する段階と、前記映像呼を利用して前記放送プログラムを転送する段階と、を含んで構成されることを特徴とする映像通信方法を提供する。
【００２０】
この画像通信方法では、外部映像が入力される段階をさらに含んで構成されるとよい。また、前記受信した放送プログラムの映像と前記入力された映像とを、一つの映像に合成する段階をさらに含んで構成されるとよい。この場合、前記合成段階は、前記受信した放送プログラムの映像の一部領域に、前記入力された映像を表示するように合成することを特徴とする。
【００２１】
前記設定段階は、前記合成映像を、前記映像呼の入力映像に設定する。また、前記設定段階は、前記受信した放送プログラムの映像を、前記映像呼の入力映像に設定することを特徴とし、さらに、前記設定段階は、前記受信した放送プログラムの音声を、前記映像呼の入力音声に設定することを特徴とする。
【００２２】
さらに、本発明は、上記目的を達成するために、放送プログラムを含む映像呼を受信する段階と、前記放送プログラムをデコーディングする段階と、前記デコーディングした放送プログラムから映像、音声を抽出する段階と、前記抽出した映像、音声を、前記映像呼の出力映像、出力音声として出力する段階と、を含んで構成されることを特徴とする映像通信方法を提供する。
【００２３】
ここで、前記出力段階は、前記抽出された映像と使用者映像とを同時に出力し、前記使用者映像は、前記映像呼を送信した送信端末機の使用者映像であるとよい。
【発明の効果】
【００２４】
本発明によれば、移動通信端末機が、現在受信中の放送プログラムを、映像通信を利用して相手側の端末機へ実時間で送信可能になる。
【００２５】
また、本発明によれば、相手側の移動通信端末機が、放送プログラム受信機能を支援しない端末機であっても、映像通信中で且つ放送プログラムを受信中の移動通信端末機から実時間で放送プログラムを受信できるので、相手側の移動通信端末機は、放送プログラムの視聴が可能になる。
【発明を実施するための最良の形態】
【００２６】
以下、添付の図面を参照して、本発明の好適な一実施形態を詳細に説明する。図面中、同一の構成要素には、可能な限り同一の参照符号を付し、重複する説明は適宜省略するものとする。
【００２７】
図１を参照して、本発明の一実施形態による、映像呼を利用して放送プログラムを転送する移動通信端末機の構成について詳細に説明する。
【００２８】
図１に示したように、移動通信端末機１０は、第１アンテナ１１２を通じて基地局と無線通信を行う送受信部１１０と、第２アンテナ１１７から放送を受信する放送受信部１１５と、使用者が選択したキーに該当する信号を発生するキー入力部１２０と、受信した放送プログラムを相手側の移動通信端末機に転送するように制御する制御部１３０と、映像通信（video communications）における映像または音声を符号化または復号化するＡＶＣ（audio video codec）１４０と、受信した放送プログラムの映像と入力された映像とを一つの映像に合成する映像処理部１５０と、受信した放送プログラムを復号化するコーデック１６０と、各種プログラム及びデータを保存する保存部１９０と、を備える。また、移動通信端末機１０は、外部からの音声が入力される音声入力部１７０と、外部からの映像が入力される映像入力部１８０と、相手側の移動通信端末機から受信した音声を出力する音声出力部１７２と、相手側の移動通信端末機から受信した映像を出力する映像出力部１８２と、を含んで構成されている。
【００２９】
送受信部１１０は、無線信号の送受信のために備えられた第１アンテナ１１２を通じて、相手側の移動通信端末機と映像通信による無線信号を送受信する。
【００３０】
放送受信部１１５は、キー入力部１２０を介して使用者が特定放送プログラムを選択すると、第２アンテナ１１７から、選択された放送プログラムを受信する。この時、デジタル放送プログラムを支援する標準技術、例えばＤＭＢ（digital multimedia broadcasting）、ＤＶＢ−Ｈ（digital video broadcasting-handheld）、メディアＦＬＯ（media forward link only）などを用いて、当該放送プログラムを受信する。
【００３１】
制御部１３０は、使用者の選択によって、映像呼の入力に設定（セット）された受信した放送プログラムを、音声入力部１７０又は映像入力部１８０から入力された音声又は映像に置き換えるために制御する。そして、制御部１３０は、画像呼を利用して、当該放送プログラムを相手側の移動通信端末機へ転送するように制御する。この時、制御部１３０は、受信した放送プログラムの映像を、映像呼についての入力映像に設定する。同様に、制御部１３０は、受信した放送プログラムの音声を、映像呼についての入力音声に設定する。
【００３２】
また、制御部１３０は、使用者の選択によって、受信した放送プログラムの映像及び映像入力部１８０から受信した映像を合成し合成映像を得て、映像呼についての入力映像に設定する。この時、制御部１３０は、放送プログラムの映像及び入力された映像を、一つの映像に合成するように映像処理部１５０を制御する。
【００３３】
ＡＶＣ１４０は、音声を符号化または復号化する音声コーデック１４２と、映像を符号化または復号化する映像コーデック１４４と、を含んで構成されている。
【００３４】
音声コーデック１４２は、音声入力部１７０から入力される使用者の音声及び送受信部１１０が受信した相手側の音声を符号化または復号化する。
【００３５】
特に、本発明では、映像呼を利用して、受信した放送プログラムを相手側に伝えるために（転送するために）、音声コーデック１４２は、使用者の音声を受信する代わりに、コーデック１６０から出力される放送プログラムの音声を受信し、これを映像通信に用いられる形式に符号化する。
【００３６】
映像コーデック１４４は、映像入力部１８０から入力される使用者の映像及び送受信部１１０から受信した相手側の映像を符号化または復号化する。
【００３７】
特に、本発明では、映像呼を利用して、受信した放送プログラムを相手側に転送するために、映像コーデック１４４は、使用者の映像を受信する代わりに、コーデック１６０から出力される放送プログラムの映像を受信し、これを映像通信に用いられる形式に符号化する。また、映像コーデック１４４に入力される映像は、後述するように、映像処理部１５０によって合成された合成映像であっても良い。
【００３８】
映像処理部１５０は、制御部１３０の制御信号によって、受信した放送プログラムを相手側の移動通信端末機へ転送するために、受信した放送プログラムの映像及び映像入力部１８０から入力された映像を一つの映像に合成する。すなわち、映像処理部１５０は、映像入力部１８０から入力された使用者の映像及びコーデック１６０で復号化された放送プログラムの映像を受け、一つの合成映像を生成する。
【００３９】
例えば、映像処理部１５０は、受信した放送プログラムの映像の一部領域に、映像入力部１８０から入力された映像を表示するように合成する。
【００４０】
コーデック１６０は、受信した放送プログラムの音声を復号化する音声コーデック１６２と、受信した放送プログラムの映像を復号化する映像コーデック１６４と、を含んで構成される。本実施形態において、コーデック１６０は、ＡＶＣ１４０とは別個の構成要素として構成しているが、ＡＶＣ１４０と共に映像通話及び放送受信が可能な統合用コーデックとして構成しても良い。
【００４１】
音声入力部１７０は、移動通信端末機１０のマイク連結部であり、使用者の音声を受信してＡＶＣ１４０へ出力する。
【００４２】
音声出力部１７２は、移動通信端末機１０のスピーカーまたはイヤホンを含む装置であり、送受信部１１０から受信した相手側の音声またはコーデック１６０で復号化した放送プログラムの音声を出力する。
【００４３】
映像入力部１８０は、移動通信端末機１０に装着されたカメラを含んで構成された装置であり、使用者の映像を受信してＡＶＣ１４０へ出力する。また、映像入力部１８０は、映像呼を利用して、放送プログラムを相手側に転送しようとする場合は、映像処理部１５０へ出力する。
【００４４】
映像出力部１８２は、移動通信端末機１０のディスプレイ装置であり、送受信部１１０から受信した相手側の映像またはコーデック１６０で復号化した放送プログラムの映像を出力表示する。
【００４５】
保存部１９０は、映像呼の代替映像として使われる静止画像または動画を保存する。特に、本発明において、保存部１９０は、受信した放送プログラムを保存するほか、映像処理部１５０によって合成された合成映像を保存する。
【００４６】
以下、図２を参照して、本発明の一実施形態に従う映像呼を利用して、受信した放送プログラムを転送する方法を詳細に説明する。
【００４７】
移動通信端末機１０は、相手側の移動通信端末機と映像呼を設定することによって、映像通話を開始する（Ｓ２０１）。これにより、映像通話中に映像呼を利用した放送プログラムの転送方法が開始される。
【００４８】
この時、移動通信端末機１０の映像出力部１８２は、図４Ａに示すように、映像通話のために、相手側の移動通信端末機から受信した映像と、映像入力部１８０から入力された使用者の映像とを、一つの画面にディスプレイする。
【００４９】
制御部１３０は、使用者の選択によって、放送プログラムを受信して相手側の移動通信端末機へ転送するか否かを判定する（Ｓ２０２）。
【００５０】
この時、制御部１３０は、映像通話を進行しながら、使用者の選択による入力信号があるかを継続して監視（monitoring）する。
【００５１】
そして、制御部１３０は、使用者の選択によって、放送プログラムを受信して転送すると判定した場合、放送受信部１１５によって放送プログラムを受信する状態を設定する。
【００５２】
放送受信部１１５は、制御部１３０の制御信号によって、第２アンテナ１１７から放送プログラムを受信する（Ｓ２０３）。
【００５３】
この時、コーデック１６０は、受信した放送プログラムを復号化して映像出力部１８２へ出力する。
【００５４】
放送受信部１１５は、デジタル放送プログラムを支援する標準技術、例えば、ＤＭＢ、ＤＶＢ−Ｈ、メディアＦＬＯなどを用いて、放送プログラムを受信する。
【００５５】
この時、映像出力部１８２は、図４Ｂに示すように、映像入力部１８０から入力された使用者の映像に代えて、コーデック１６０から入力された放送プログラムの映像を出力表示する。
【００５６】
制御部１３０は、使用者の選択によって、当該受信した放送プログラムの映像と使用者の映像とを、同時に転送するか否かを判定する（Ｓ２０４）。
【００５７】
この時、制御部１３０は、使用者が同時転送を選択した場合、映像処理部１５０を制御して、放送プログラムの映像と使用者の映像とを合成して合成映像を生成させる。
【００５８】
映像処理部１５０は、制御部１３０の制御信号によって、映像入力部１８０から入力された使用者の映像とコーデック１６０から入力された放送プログラムの映像とを一つの映像に合成する（Ｓ２０５）。
【００５９】
この時、映像処理部１５０は、図４Ｃに示すように、放送プログラムの映像の一部領域に、使用者の映像が表示されるように合成する。また、映像処理部１５０は、例示した合成方法の他にも、様々な合成方法によって生成された様々な合成映像を提供可能である。
【００６０】
送受信部１１０は、映像処理部１５０により合成された合成映像を、相手側の移動通信端末機に転送する（Ｓ２０６）。
【００６１】
この時、ＡＶＣ１４０は、制御部１３０の制御信号によって、映像処理部１５０から合成映像が入力され、合成映像を、映像呼に対する入力映像と設定する。
【００６２】
この時、相手側の移動通信端末機は、図４Ｃに示すように、移動通信端末機１０から受信した合成映像を出力する。この合成映像は、移動通信端末機１０で受信された放送プログラムの映像と移動通信端末機１０の使用者の映像とを合成した映像である。また、相手側の移動通信端末機は、移動通信端末機１０と一般的な映像通話を行う場合、図４Ｄに示すように、移動通信端末機１０の使用者の映像を出力する。
【００６３】
ＡＶＣ１４０は、制御部１３０の制御信号によって、コーデック１６０から入力された放送プログラムの音声を、映像呼の入力音声に設定する。
【００６４】
制御部１３０は、使用者の選択によって、使用者の映像を転送するか否かを決定する（Ｓ２０７）。
【００６５】
使用者が、使用者の映像の転送を選択した場合、制御部１３０は、映像処理部１５０を通じてコーデック１６０から受信した放送プログラムの映像を、映像呼の入力映像に設定する。一方、使用者が、使用者の映像を転送しないことを選択した場合、制御部１３０は、コーデック１６０から入力された放送プログラムの音声を、映像呼の入力音声に設定する。
【００６６】
送受信部１１０は、制御部１３０の制御信号によって、放送プログラムの画像を映像呼の入力映像に設定し、その放送プログラムを相手側の移動通信端末機へ転送する（Ｓ２０８）。同様に、送受信部１１０は、制御部１３０の制御信号によって、放送プログラムの音声を映像呼の入力音声に設定し、相手側の移動通信端末機へ転送する（Ｓ２０８）。
【００６７】
この時、相手側の移動通信端末機は、図４Ｅに示すように、移動通信端末機１０から受信した放送プログラムの映像を出力する。
【００６８】
制御部１３０は、使用者の選択によって、放送プログラムの転送を中止するか否かを判定する（Ｓ２０９）。
【００６９】
使用者が放送プログラムの転送中止を選択した場合、制御部１３０は、放送プログラムの転送を中止し、元の映像通話に復帰して映像通話を継続するか、または、映像通話を終了する。
【００７０】
一方、使用者が、使用者の映像の転送を選択した場合、制御部１３０は、使用者の選択によって、転送を中止するか否かを判定する（Ｓ２１０）。
【００７１】
その結果、使用者が放送プログラムの転送を中止しないこと選択した場合、制御部１３０は、合成映像を続けて転送しながら、使用者の映像転送中止または放送プログラムの転送中止に対する入力信号があるかを継続して監視（モニタリング）する。
【００７２】
使用者が放送プログラムの転送中止を選択した場合、制御部１３０は、放送プログラムの転送を中止し、元の映像通話に復帰するか、または、映像通話を終了する。
【００７３】
図３を参照して、本発明の他の実施形態に従う映像呼を利用した放送プログラムの転送方法を詳細に説明する。
【００７４】
放送受信部１１５は、第２アンテナ１１７から放送プログラムを受信する（Ｓ３０１）。
【００７５】
この時、映像出力部１８２は、図５Ａに示すように、受信した放送プログラムの映像を出力する。この時、出力される映像は、コーデック１６０が復号化した映像である。
【００７６】
制御部１３０は、映像呼を設定するための発呼信号または着呼信号があるか否かを判断する（Ｓ３０２）。
【００７７】
ここで、発呼信号とは、本発明による移動通信端末機１０から相手側の移動通信端末機への映像呼要請信号を意味し、着呼信号は、相手側の移動通信端末機から移動通信端末機１０への映像呼要請信号を意味する。
【００７８】
上記判断の結果、発呼信号または着呼信号があると判断した場合、制御部１３０は、送受信部１１０を通じて映像呼を設定し、映像通話を開始する（Ｓ３０３）。
【００７９】
そして、制御部１３０は、使用者の選択によって、受信する放送プログラムを相手側の移動通信端末機に転送するか否かを決定する（Ｓ３０４）。
【００８０】
使用者が放送プログラムの転送を選択した場合、制御部１３０は、図２に示すＳ２０４以降の過程を実行するように制御する。
【００８１】
一方、使用者が放送プログラムを転送しないことを選択した場合、制御部１３０は、相手側の移動通信端末機との映像通話を行いながら、放送プログラムに対する転送信号の発生を継続して監視する。
【００８２】
制御部１３０は、Ｓ３０２の結果、発呼信号または着呼信号がないと判断した場合、使用者の選択によって、受信する放送プログラムを相手側の移動通信端末機へ転送するか否かを決定する（Ｓ３０５）。
【００８３】
使用者が放送プログラムを転送しないことを選択した場合、制御部１３０は、Ｓ３０２へ戻り、続けて放送プログラムを受信しながら、映像呼に対する発呼信号または着呼信号があるか否かを継続して監視する。
【００８４】
一方、使用者が放送プログラムの転送を選択した場合、制御部１３０は、使用者が入力した、放送プログラムを転送しようとする相手側の移動通信端末機の番号を受信する（Ｓ３０６）。
【００８５】
制御部１３０は、受信した番号に該当する相手側の移動通信端末機との映像呼を設定する（Ｓ３０７）。
【００８６】
この時、映像出力部１８２は、図５Ｂに示すように、画面の一部に相手側の移動通信端末機から受信した映像を表示し、画面の他の部分に現在受信している放送プログラムの映像を表示する。
【００８７】
制御部１３０は、映像呼が設定されると、図２に示すＳ２０４以降の過程を実行するように制御する。
【００８８】
以下、図６を参照して、本発明の一実施形態に従って、映像呼を利用して、放送プログラムを受信する受信方法を詳細に説明する。
【００８９】
移動通信端末機は、放送プログラムを含む映像呼を受信する（Ｓ６０１）。
【００９０】
移動通信端末機は、受信した放送プログラムをデコーディングする（Ｓ６０２）。
【００９１】
移動通信端末機は、デコーディングした放送プログラムから映像、音声を抽出する（Ｓ６０３）。
【００９２】
移動通信端末機は、映像呼の出力映像または出力音声として、抽出した映像、音声を出力する（Ｓ６０４）。
【００９３】
この出力段階では、映像呼を送信する移動通信端末機（送信端末機）の使用者の映像と抽出された映像とを同時に出力する。
【００９４】
この時、移動通信端末機は、図４Ｃに示すように、送信端末機から受信した合成映像を出力する。この合成映像は、送信端末機が受信した放送プログラムの映像と送信端末機の使用者の映像とを合成した合成映像である。
【００９５】
移動通信端末機は、送信端末機と一般的な映像通話を行う場合は、図４Ｄに示すように、送信端末機の使用者映像を出力する。
【００９６】
または、移動通信端末機は、図４Ｅに示すように、送信端末機から受信した映像呼に含まれる放送プログラムの映像を出力する。
【００９７】
以上、説明した本発明は、上記実施形態及び添付の図面によって限定されるものではなく、本発明の属する技術分野における通常の知識を有する者であれば、本発明の技術的思想を逸脱しない範囲内で種々の置換、変形及び変更が可能である。
【図面の簡単な説明】
【００９８】
【図１】本発明の一実施形態に従う映像呼を利用した放送プログラムを転送する移動通信端末機の構成を示すブロック図である。
【図２】本発明の一実施形態に従う映像呼を利用した放送プログラムを転送する転送方法を示したフローチャートである。
【図３】本発明の他の実施形態に従う映像呼を利用した放送プログラムを転送する転送方法を示したフローチャートである。
【図４】Ａ〜Ｅは、本発明の実施形態に従う移動通信端末機の映像通話中における映像出力部の状態を示す図である。
【図５】Ａ，Ｂは、本発明の実施形態に従う移動通信端末機の放送受信中における映像出力部の状態を示す図である。
【図６】本発明の一実施形態に従う映像呼を利用した放送プログラムを受信する受信方法を示すフローチャートである。
【図７】従来技術による映像通信可能な移動通信端末機の構成を示すブロック図である。
【図８】従来技術による放送受信可能な移動通信端末機の構成を示すブロック図である。
【符号の説明】
【００９９】
１１０  送受信部
１１５  放送受信部
１３０  制御部
１４０  ＡＶＣ（audio video codec）
１６０  コーデック
【図１】
2007028633.tif 000003
【図２】
2007028633.tif 000004
【図３】
2007028633.tif 000005
【図４】
2007028633.tif 000006
【図５】
2007028633.tif 000007
【図６】
2007028633.tif 000008
【図７】
2007028633.tif 000009
【図８】
2007028633.tif 000010